(57)【要約】【課題】情報処理装置において、オブジェクトの形状をゆがみ無く表示することを可能とする。【解決手段】装置本体の前面上、側面上、および上面上には、それぞれ第１、第２、および第３の表示部１３１〜１３３が設けられている。装置本体の前面上に設けられた表示部１３１にはオブジェクトをその前面側から見た画像データが表示され、装置本体の側面上に設けられた表示部１３２にはオブジェクトをその側面側から見た画像データが表示され、さらに装置本体の上面上に設けられた表示部１３３にはオブジェクトをその上面側から見た画像データが表示される。このように、オブジェクトをその前面、側面、および上面側からそれぞれ見た画像データを、第１乃至第３の表示部にそれぞれ対応付けて表示することにより、実際のオブジェクトの形状をゆがみ無く表示することが可能となる。【選択図】　　図１
2004004281.tif 000002
【特許請求の範囲】
【請求項１】
オブジェクトをその前面、側面及び上面からそれぞれ見た第１、第２及び第３の画像データを含むコンテンツデータを表示可能な情報処理装置であって、
装置本体と、
前記装置本体の前面、側面、および上面にそれぞれ設けられた第１、第２、および第３の表示部を少なくとも含む多面表示装置と、
前記第１、第２、および第３の画像データを、前記多面表示装置の前記第１、第２、および第３の表示部にそれぞれ表示する制御手段とを具備することを特徴とする情報処理装置。
【請求項２】
コンテンツデータを外部から受信する受信手段をさらに具備し、
前記制御手段は、
前記受信手段によって受信されたコンテンツデータが、前記第１、第２、および第３の画像データを少なくとも含むものであるか否かを判別する手段と、
前記受信されたコンテンツデータが前記第１、第２、および第３の画像データを少なくとも含む場合、前記第１、第２、および第３の画像データを、前記第１、第２、および第３の表示部にそれぞれ表示データとして出力する手段とを含むことを特徴とする請求項１記載の情報処理装置。
【請求項３】
前記第１、第２、および第３の画像データそれぞれの表示サイズを、前記第１乃至第３の表示部の内で最も表示解像度が小さい表示部の表示解像度に合わせて縮小する手段をさらに具備することを特徴とする請求項１記載の情報処理装置。
【請求項４】
前記第１、第２、および第３の表示部をそれぞれ制御する第１、第２、および第３の表示コントローラをさらに具備し、
前記制御手段は、
前記第１、第２、および第３の画像データを前記第１、第２、および第３の表示コントローラにそれぞれ分配して、前記第１、第２、および第３の画像データを前記第１、第２、および第３の表示部にそれぞれ表示させる手段を含むことを特徴とする請求項１記載の情報処理装置。
【請求項５】
前記多面表示装置は、前記装置本体の背面に設けられた第４の表示部をさらに具備し、
前記制御手段は、
前記コンテンツデータが前記オブジェクトをその背面側から見た第第４の画像データをさらに含む場合、前記第１、第２、第３、および第４の画像データを、前記第１、第２、第３、および第４の表示部にそれぞれ表示するように構成されていることを特徴とする請求項１記載の情報処理装置。
【請求項６】
前記多面表示装置は、前記装置本体の底面に設けられた第４の表示部をさらに具備し、
前記制御手段は、
前記コンテンツデータが前記オブジェクトをその底面側から見た第第４の画像データをさらに含む場合、前記第１、第２、第３、および第４の画像データを、前記第１、第２、第３、および第４の表示部にそれぞれ表示するように構成されていることを特徴とする請求項１記載の情報処理装置。
【請求項７】
前記装置本体は右側面と左側面とを有しており、前記第２の表示部は前記右側面および左側面の一方の側面に設けられていることを特徴とする請求項１記載の情報処理装置。
【請求項８】
前記装置本体は右側面と左側面とを有しており、前記第２の表示部は前記右側面および左側面の一方の側面に設けられており、
前記多面表示装置は、前記装置本体の前記右側面および左側面の他方の側面に設けられた第４の表示部をさらに具備し、
前記制御手段は、
前記コンテンツデータが前記オブジェクトをその前面、右および左の一方の側面、上面、および右および左の一方の側面側からそれぞれ見た第１、第２、第３、および第４の画像データを含む場合、前記第１、第２、第３、および第４の画像データを、前記第１、第２、第３、および第４の表示部にそれぞれ表示するように構成されていることを特徴とする請求項１記載の情報処理装置。
【請求項９】
前記多面表示装置は、前記装置本体の背面に設けられた第４の表示部をさらに具備し、
前記制御手段は、
前記コンテンツデータが前記オブジェクトに関するドキュメントデータをさらに含む場合、前記第１、第２、および第３の画像データを前記第１、第２、および第３の表示部にそれぞれ表示し、且つ前記ドキュメントデータを前記第４の表示部に表示するように構成されていることを特徴とする請求項１記載の情報処理装置。
【請求項１０】
前記装置本体は右側面と左側面とを有しており、前記第２の表示部は前記右側面および左側面の一方の側面上に設けられており、
前記多面表示装置は、
前記装置本体の前記右側面および左側面の他方の側面に設けられた第４の表示部と、前記装置本体の背面に設けられた第５の表示部とをさらに具備し、
前記制御手段は、
前記コンテンツデータが前記オブジェクトに関するドキュメントデータをさらに含む場合、前記第１、第２、および第３の画像データを前記第１、第２、および第３の表示部にそれぞれ表示し、且つ前記ドキュメントデータを、前記オブジェクトの画像データの表示に使用されない前記第４および第５の表示部の内の一方に表示するように構成されていることを特徴とする請求項１記載の情報処理装置。
【請求項１１】
前記装置本体は右側面と左側面とを有しており、前記第２の表示部は前記右側面および左側面の一方の側面上に設けられており、
前記多面表示装置は、前記装置本体の前記右側面および左側面の他方の側面に設けられた第４の表示部と、前記装置本体の背面に設けられた第５の表示部とをさらに含み、且つ前記多面表示装置は直方体形状に形成されており、前記第１乃至第５の表示部の表示面それぞれが前記直方体の５面に並んで配置されていることを特徴とする請求項１記載の情報処理装置。
【請求項１２】
任意のコンテンツデータを表示可能な情報処理装置であって、
装置本体と、
前記装置本体に設けられる第１、第２及び第３の表示装置と、
前記コンテンツデータを前記第１、第２及び第３の表示装置にそれぞれ表示角度を変えて表示する制御手段とを具備する情報処理装置。
【請求項１３】
情報処理装置の前面、側面、および上面にそれぞれ設けられた第１、第２、および第３の表示部を少なくとも含む多面表示装置を用いて、オブジェクトを表示するためのオブジェクト表示方法であって、
コンテンツデータが、オブジェクトをその前面、側面、および上面側からそれぞれ見た第１、第２、および第３の画像データを含むかどうかを判別するステップと、
前記コンテンツデータが前記第１、第２、および第３の画像データを含む場合、前記第１、第２、および第３の画像データを、前記多面表示装置の前記第１、第２、および第３の表示部にそれぞれ表示するステップとを具備することを特徴とするオブジェクト表示方法。
【請求項１４】
前記コンテンツデータを外部から受信するステップをさらに具備することを特徴とする請求項１３記載のオブジェクト表示方法。
【請求項１５】
前記コンテンツデータに含まれる前記第１、第２、および第３の画像データそれぞれの表示サイズを、前記第１乃至第３の表示部の内で最も表示解像度が小さい表示部の表示解像度に合わせて縮小するステップをさらに含むことを特徴とする請求項１３記載のオブジェクト表示方法。
【請求項１６】
前記情報処理装置には前記第１、第２、および第３の表示部をそれぞれ制御する第１、第２、および第３の表示コントローラが設けられており、
前記第１、第２、および第３の画像データを、前記多面表示装置の前記第１、第２、および第３の表示部にそれぞれ表示するステップは、
前記表示対象のコンテンツデータに含まれる前記第１、第２、および第３の画像データを前記第１、第２、および第３の表示コントローラにそれぞれ分配して、前記第１、第２、および第３の画像データを前記第１、第２、および第３の表示部にそれぞれ表示するステップを含むことを特徴とする請求項１３記載のオブジェクト表示方法。
【請求項１７】
前記多面表示装置は、前記装置本体の背面に設けられた第４の表示部をさらに具備し、
前記コンテンツデータが前記オブジェクトに関するドキュメントデータをさらに含む場合、前記ドキュメントデータを前記第４の表示部に表示するステップをさらに具備することを特徴とする請求項１３記載のオブジェクト表示方法。
【請求項１８】
前記装置本体は右側面と左側面とを有しており、前記第２の表示部は前記右側面および左側面の一方の側面上に設けられており、前記多面表示装置は、前記装置本体の前記右側面および左側面の他方の側面に設けられた第４の表示部と、前記装置本体の背面に設けられた第５の表示部とをさらに具備し、
前記コンテンツデータが前記オブジェクトに関するドキュメントデータをさらに含む場合、前記ドキュメントデータを、前記オブジェクトの画像データの表示に使用されない前記第４および第５の表示部の内の一方に表示するステップをさらに具備することを特徴とする請求項１３記載のオブジェクト表示方法。
【発明の詳細な説明】
【０００１】
【発明の属する技術分野】
本発明は例えば移動電話機、ＰＤＡ（Ｐｅｒｓｏｎａｌ　Ｄａｔａ　Ａｓｓｉｓｔａｎｔｓ）のような情報処理装置および同装置で用いられるオブジェクト表示方法に関する。
【０００２】
【従来の技術】
近年、情報処理技術及び無線通信技術の発展に伴い、例えば、移動電話機、ＰＤＡ（Ｐｅｒｓｏｎａｌ　Ｄａｔａ　Ａｓｓｉｓｔａｎｔｓ）、のような様々な携帯型の情報処理装置が広く普及している。この種の携帯型情報処理装置はテキスト、画像、等の様々なコンテンツを表示する事が出来る。しかしながら、小型化が求められる携帯型情報処理装置に搭載可能な表示画面サイズ（表示解像度）は比較的小さいため、一度に表示可能な情報量は制限される。
【０００３】
特開２０００−２７８３７３号公報には、表示画面サイズを擬似的に大きくするために複数の表示部を備えた携帯型電子機器が開示されている。この携帯型電子機器は、機器本体上に開閉自在に取り付けられた開閉パネルを備えている。開閉パネルの表面及び裏面にはそれぞれ表示部が設けられている。開閉パネルを開いた状態においては、開閉パネルの裏面上に設けられた表示部は、機器本体上に設けられた表示部と並んで配置される。これら表示部に互いに異なる情報を同時に表示することにより、表示画面サイズを擬似的に大きくすることができる。
【０００４】
【発明が解決しようとする課題】
ところで、最近では、例えばオンラインショッピング、バーチャルモールなどのような、インターネットを用いた電子商取引サービスが普及している。商品などのオブジェクトに関する画像データをサーバから携帯型情報処理装置にダウンロードすることにより、ユーザは、携帯型情報処理装置の表示画面上で、オブジェクトの形状等を確認することが出来る。
【０００５】
しかし、携帯型情報処理装置の表示部に表示されるオブジェクトは通常は２次元画像であるので、ユーザが、表示部に表示される画像から、実際のオブジェクトの立体的な形状を正確に把握することは難しい。
【０００６】
表示画面上に３次元画像を表示する３Ｄ技術も知られている。この３Ｄ技術は人間の視覚の錯覚を利用することによって擬似的な立体表示を実現するものである。この擬似的な立体表示は、表示されたオブジェクトの形状にゆがみをもたらす。このため、３Ｄ技術を用いても、ユーザが、表示画面上に表示される３Ｄ画像から、実際のオブジェクトの幅、奥行き、高さの比率を正確に把握することは困難である。
【０００７】
よって、表示画面上に表示される画像からユーザがそのオブジェクトの幅、奥行き、高さの比率を正確に把握できるようにするために、そのオブジェクトの形状をゆがみ無く表示するための新たな仕組みの実現が必要とされている。
【０００８】
本発明は上述の事情を考慮してなされたものであり、オブジェクトの形状をゆがみ無く表示することが可能な情報処理装置およびオブジェクト表示方法を提供することを目的とする。
【０００９】
【課題を解決するための手段】
上述の課題を解決するため、本発明は、オブジェクトをその前面、側面及び上面からそれぞれ見た第１、第２及び第３の画像データを含むコンテンツデータを表示可能な情報処理装置であって、装置本体と、前記装置本体の前面、側面、および上面にそれぞれ設けられた第１、第２、および第３の表示部を少なくとも含む多面表示装置と、前記第１、第２、および第３の画像データを、前記多面表示装置の前記第１、第２、および第３の表示部にそれぞれ表示する制御手段とを具備することを特徴とする。
【００１０】
この情報処理装置においては、装置本体の前面、側面、および上面にそれぞれ第１、第２、および第３の表示部が設けられている。装置本体の前面上に設けられた第１の表示部にはオブジェクトをその前面側から見た第１の画像データが表示され、装置本体の側面上に設けられた第２の表示部にはオブジェクトをその側面側から見た第２の画像データが表示され、さらに装置本体の上面上に設けられた第３の表示部にはオブジェクトをその上面側面から見た第３の画像データが表示される。
【００１１】
このように、オブジェクトをその前面、側面、および上面側からそれぞれ見た第１乃至第３の画像データを、装置本体の前面上、側面上、および上面上にそれぞれ設けられた第１乃至第３の表示部にそれぞれ対応付けて表示するという多面表示を行うことにより、実際のオブジェクトを前面から見た形状、側面から見た形状、上面から見た形状、をゆがみ無く表示することが可能となり、ユーザは、実際のオブジェクトの幅、奥行き、高さの比率を正確に把握することができる。
【００１２】
また本発明は、任意のコンテンツデータを表示可能な情報処理装置であって、装置本体と、前記装置本体に設けられる第１、第２及び第３の表示装置と、前記コンテンツデータを前記第１、第２及び第３の表示装置にそれぞれ表示角度を変えて表示する制御手段とを具備するものである。
【００１３】
このように、装置本体に第１、第２及び第３の表示装置を設け、コンテンツデータを第１、第２及び第３の表示装置にそれぞれ表示角度を変えて表示することにより、ユーザは、実際のオブジェクトの幅、奥行き、高さの比率を正確に把握することができる。
【００１４】
【発明の実施の形態】
以下、図面を参照して本発明の実施形態を説明する。
図１および図２は、それぞれ本発明の一実施形態に係る情報処理装置の外観をその正面および背面側から見た斜視図である。この情報処理装置は、例えば移動電話機、ＰＤＡのような携帯可能な情報処理装置である。以下では、移動電話機として実現した場合を想定して、本情報処理装置の構成を説明する。
【００１５】
移動電話機１は、基地局との間で無線による音声／データの送受信を行う移動局として使用される。この移動電話機１は音声通話機能に加え、コンテンツ提供サービスを行うサーバから様々なコンテンツをダウンロードしてそれを表示するというコンテンツ表示機能も有している。
【００１６】
移動電話機１の本体の前面上には、図１に示すように、送話用のマイクロホン１１１、受話用のスピーカ１１２、およびキー入力部１１３が配置されている。
【００１７】
キー入力部１１３は、複数のボタンからなるダイヤルキー入力部１１４と、機能キー群１１５とから構成されている。機能キー群１１５は、電源オン（オフフック）ボタン１１６、電源オフボタン（オンフック）ボタン１１７、カーソルボタン１１８、確定ボタン１１９などから構成されている。
【００１８】
さらに、移動電話機１の本体の前面上、右側面上、および上面上には、それぞれ正面表示部１３１、右側面表示部１３２、および上面表示部１３３が設けられている。
【００１９】
またさらに、図２に示されているように、移動電話機１の本体の左側面上、および背面上にも、それぞれ左側面表示部１３４、および背面表示部１３５が設けられている。移動電話機１の本体の背面上には、カメラユニット１４１も配置されている。
【００２０】
上述の５つの表示部１３１〜１３５は、直方体形状の多面表示装置１２０を構成する。この多面表示装置１２０の前面、右側面、上面、左側面、および背面には、ガラス板またはアクリル板などのような透明板１２１，１２２，１２３，１２４，１２５が配置されている。透明板１２１，１２２，１２３，１２４，１２５は、正面表示部１３１、右側面表示部１３２、上面表示部１３３、左側面表示部１３４、および背面表示部１３５の表示面上にそれぞれ位置する。透明板１２１，１２２，１２３，１２４，１２５はそれぞれ矩形形状を有しており、また表示部１３１〜１３５もそれぞれ矩形形状を有している。
【００２１】
すなわち、多面表示装置１２０は透明の直方体形状の筐体を有しており、その前面、右側面、上面、左側面、および背面の５面にそれぞれ表示部１３１〜１３５の表示面が並んで配置された構造となっている。
【００２２】
さらに、図３に示すように、移動電話機１の本体の底面上には底面表示部１３６が設けられている。この底面表示部１３６の表示面上には、透明板１２６が移動電話機１の本体底面全体を覆うように配置されている。この底面表示部１３６も、正面表示部１３１、右側面表示部１３２、上面表示部１３３、左側面表示部１３４、および背面表示部１３５と同様に、多面表示装置１２０を構成する１ユニットとして機能する。
【００２３】
表示部１３１〜１３６の各々は、例えばＬＣＤ（Ｌｉｑｕｉｄ　Ｃｒｙｓｔａｌ　Ｄｉｓｐｌａｙ）などのフラットパネルディスプレイから構成されている。これら表示部１３１〜１３６の内、正面表示部１３１は本移動電話機１のメインディスプレイとして機能する。
【００２４】
ここで、表示部１３１〜１３６を用いてオブジェクトの形状を多面的に表示する例について説明する。
【００２５】
本実施形態におけるオブジェクト多面表示は、コンテンツデータを表示部１３１〜１３６にそれぞれ表示角度を変えて表示するものである。このオブジェクト多面表示においては、あるオブジェクトを正面側、右側面側、上面側、左側面側、背面側、および底面側からそれぞれ見た画像データが、表示部１３１〜１３６にそれぞれ同時に表示される。
【００２６】
すなわち、正面表示部１３１は、オブジェクトをその正面側から見た画像データを表示するために使用される。同様に、右側面表示部１３２は、オブジェクトをその右側面側から見た画像データの表示に使用され、上面表示部１３３は、オブジェクトをその上面側から見た画像データの表示に使用される。また同様に、左側面表示部１３４は、オブジェクトをその左側面側から見た画像データの表示に使用され、背面表示部１３５は、オブジェクトをその背面側から見た画像データの表示に使用され、そして底面表示部１３６は、オブジェクトをその底面側から見た画像データの表示に使用される。
【００２７】
なお、必ずしも、オブジェクトの６面全てを表示する必要はない。オブジェクトを正面側、右および左側面側の一方、および上面側から見た少なくとも３つのデータを、それぞれ正面表示部１３１と、右側面表示部１３２および左側面表示部１３４の一方と、上面表示部１３３とに表示すれば十分である。このように、オブジェクトを複数の表示装置にそれぞれ角度を変えて表示することにより、実際のオブジェクトを前面から見た形状、側面から見た形状、上面から見た形状、をそれぞれゆがみ無く表示することが可能となり、ユーザは、実際のオブジェクトの幅、奥行き、高さの比率を表示画面上で正確に把握することができる。
【００２８】
オブジェクト多面表示は、例えば、コンテンツ提供サービスを行うコンテンツサーバからダウンロードしたコンテンツデータに含まれるオブジェクトの形状を表示するために利用される。サーバから送られてくるコンテンツデータには、少なくとも、例えば商品などのオブジェクトを互いに異なる３つの面、つまり、正面側、右又は左側面、および上面側、から見た３つの画像データが、そのオブジェクトの表示データとして含まれている。
【００２９】
例えば、もしサーバから送られてくるコンテンツデータに、商品であるカップを、その正面側、右側面、および上面側からそれぞれ撮影した３つの画像データが含まれている場合には、カップを正面側から撮影した画像データ、右側面側から撮影した画像データ、および上面側から撮影した画像データは、図１に示されているように、それぞれ正面表示部１３１、右側面表示部１３２、および上面表示部１３３に同時に表示される。
【００３０】
また、もしサーバから送られてくるコンテンツデータに、カップをその６面方向からそれぞれ撮影した６つの画像データが含まれている場合には、図２におよび図３に示すように、左側面表示部１３４、背面表示部１３５、および裏面表示部１３６にもそれぞれ該当する画像データが表示される。
【００３１】
このように、どの表示部をオブジェクト多面表示に使用するかは、表示対象のコンテンツデータに依存する。つまり、もしオブジェクトをその６面全ての方向から撮影した６つの画像データを含むコンテンツデータが用意されている場合には全ての表示部１３１〜１３５がその表示に使用される。一方、オブジェクトを正面、側面、上面からそれぞれ撮影した３つの画像データを含むコンテンツデータが用意されている場合には正面表示部１３１と、右側面表示部１３２および左側面表示部１３４の一方と、上面表示部１３３は使用されるが、右側面表示部１３２および左側面表示部１３４の他方と、背面表示部１３５と、底面表示部１３６は使用されない。これら未使用の表示部については、当該オブジェクトに関するドキュメントデータの表示に使用することが出来る。
【００３２】
例えば、表示対象のコンテンツデータがオブジェクトを正面、側面、上面からそれぞれ撮影した３つの画像データと当該オブジェクトに関するドキュメントデータとを含む場合には、そのドキュメントデータを図５のように、背面表示部１３５に表示することにより、オブジェクトの画像を多面表示しながら、ドキュメントデータの表示を併せて行うことが出来る。これにより、ユーザは、オブジェクトの画像のみならず、その説明文などの文字情報についても同時に見ることが出来る。
【００３３】
またこのような表示形態は、例えばビジネス用途では、移動電話機１を用いた簡易プレゼンテーションに活用することもできる。例えば顧客側に正面表示部１３１を向けて多面表示されたオブジェクトの画像を見せつつ、プレゼンテーションを行う人がプレゼンテーション用の簡易メモとして背面表示部１３５に表示されたドキュメントデータを読み上げるといった用途である。
【００３４】
オブジェクトを正面、側面、上面の方向からそれぞれ撮影した少なくとも３つの画像データを含むコンテンツデータ（以下、多面表示用コンテンツデータと称する）はコンテンツ提供者が作成すればよく、移動電話機１では、そのような多面表示用コンテントを作成するための処理は行う必要はない。もちろん、例えば、あるオブジェクトをカメラユニット１４１によって正面、側面、上面からそれぞれ撮影することにより、それら撮影によって得られた３つの画像データを用いて多面表示用コンテンツデータを移動電話機１内で生成することも出来る。
【００３５】
次に、図５を参照して、移動電話機１のシステム構成を説明する。ここでは、上述の表示部１３１〜１３５をそれぞれＬＣＤにて実現した場合を想定する。
【００３６】
移動電話機１は、図示のように、ＲＦ部１０、ベースバンド部２０、および入出力部３０を備えている。ＲＦ部１０は、アンテナ１１、アンテナ共用器（ＤＵＰ）１２、受信機（ＲＸ）１３、送信機（ＴＸ）１４、および周波数シンセサイザ（ＳＹＮ）１４から構成されており、ベースバンド部２０の制御の下に、基地局との間の音声／データの送受信を無線信号によって行う。
【００３７】
ベースバンド部２０はＲＦ部１０を介して送信すべき音声／データを生成する処理、およびＲＦ部１０を介して受信した音声／データを再生する処理を実行する。このベースバンド部２０においては、システムコントローラ２１、メモリ２２、カメラインタフェース２３、音声コーデック２４、および６つのＬＣＤコントローラ３１〜３６が設けられている。
【００３８】
システムコントローラ２１は、メモリ２２に記憶されたプログラムを実行することにより、ベースバンド部２０内の他のコンポーネントと、ＲＦ部１０および入出力部３０を制御するように構成されている。
【００３９】
音声コーデック２４は、マイク１１から入力された音声信号を変調してＲＦ部２４に送信する処理、およびＲＦ部２４によって受信された音声信号を復調してスピーカ１１２を通じて出力する処理を実行する。
【００４０】
６つのＬＣＤコントローラ３１〜３６は、上述の６つの表示部１３１〜１３５にそれぞれ対応して設けられた表示コントローラである。６つのＬＣＤコントローラ３１〜３６の各々はそれに対応する表示部（ＬＣＤ）を駆動して、そのＬＣＤの表示を制御する。
【００４１】
システムコントローラ２１においては、多面表示制御部２１１が内蔵されている。多面表示制御部２１１は、上述したオブジェクト多面表示を実行する。すなわち、多面表示制御部２１１は、ＲＦ部１０によって受信されたデータが多面表示用コンテンツデータであれば、その多面表示用コンテンツデータに含まれる各画像データを該当する表示部に対応する表示コントローラに供給する。
【００４２】
すなわち、例えば、オブジェクトをその正面側から見た画像データについては、多面表示制御部２１１によってＬＣＤコントローラ３１に送られ、表示部１３１を構成するＬＣＤの表示画面に表示される。またオブジェクトをその右側面側から見た画像データについては、多面表示制御部２１１によってＬＣＤコントローラ３２に送られ、表示部１３２を構成するＬＣＤの表示画面に表示される。さらに、オブジェクトをその上面側から見た画像データについては、ＬＣＤコントローラ３３に送られ、表示部１３３を構成するＬＣＤの表示画面に表示される。
【００４３】
図６には、コンテンツサーバが移動電話機１に向けて送信するコンテンツデータのデータフォーマットの一例が示されている。
【００４４】
コンテンツデータは、コンテンツＩＤフラグとそれに後続する１以上のデータフィールドとから構成される。コンテンツＩＤフラグは当該コンテンツデータの種別を示すコンテント識別情報である。
【００４５】
もし当該コンテンツデータが多面表示用コンテンツデータであれば、そのコンテンツＩＤフラグには当該コンテンツデータが多面表示用コンテンツデータであることを示す識別情報が含まれる。多面表示用コンテンツデータにおいては、コンテンツＩＤフラグの後に少なくとも３つのデータフィールドが付加されている。
【００４６】
多面表示用コンテンツデータの各データフィールドは、画像ＩＤフラグとそれに後続する画像データとから構成される。画像ＩＤフラグは、当該データフィールドがオブジェクトを、正面、右側面、上面、左側面、背面、および底面の６面の内のどの面側から見た画像データであるかを示す識別情報である。多面表示用コンテンツデータに含まれる画像データそれぞれの表示サイズは同一である。
【００４７】
もし多面表示用コンテンツデータがＨＴＭＬ等のマークアップ言語で記述されたスクリプトデータであるならば、各データフィールドは、そのスクリプトデータによってリンク付けされた画像ファイルによって実現することも出来る。この場合でも、各画像ファイルには、それがオブジェクトをどの面側から見た画像データであるかを示す識別情報が付加される。
【００４８】
図７には、多面表示制御部２１１の構成が示されている。多面表示制御部２１１は、図示のように、画像ＩＤフラグ判別部２１２と、画像データ分配部２１３を備えている。
【００４９】
ＲＦ部１０によって受信されたコンテンツデータが多面表示用コンテンツデータであるならば、その多面表示用コンテンツデータは画像ＩＤフラグ判別部２１２に送られる。画像ＩＤフラグ判別部２１２では、多面表示用コンテンツデータに含まれるデータフィールド毎にその画像ＩＤフラグが調べられ、これによってデータフィールド毎にそれがどの表示部に表示すべき画像データであるかが判別される。
【００５０】
画像データ分配部２１３は、画像ＩＤフラグ判別部２１２による判別結果に従い、多面表示用コンテンツデータに含まれる複数の画像データを、それを表示させるべき表示部それぞれに対応するＬＣＤコントローラに分配する。
【００５１】
例えば、多面表示用コンテンツデータが、オブジェクトをその正面側から見た第１の画像データ（正面画像データ）、オブジェクトをその右側面側から見た第２の画像データ（右側面画像データ）、およびオブジェクトをその上面側から見た第３の画像データ（上面画像データ）の３つの画像データを含む場合を想定する。
【００５２】
この場合、画像データ分配部２１３は、第１乃至第３の３つの画像データを、ＬＣＤコントローラ３１，３２，３３にそれぞれ表示データとして分配する。これにより、第１乃至第３の３つの画像データが、表示部１３１，１３２，１３３の表示画面上にそれぞれ表示される。
【００５３】
さらに、画像データ分配部２１３には画像縮小処理部２１４が設けられている。この画像縮小処理部２１４は、必要に応じて、多面表示用の画像データそれぞれの表示サイズを縮小する画像縮小処理を実行する。
【００５４】
この画像縮小処理においては、多面表示用コンテンツデータの表示対象となる表示部の中で最も表示画面サイズ（表示解像度）が小さい表示部の表示解像度に合わせて、多面表示用コンテンツデータに含まれている各画像データの表示サイズが縮小される。これにより、表示部１３１〜１３６それぞれの表示解像度の違いによらずに、複数の方向から見たオブジェクトをそれぞれ同一サイズで多面表示することが可能となる。
【００５５】
次に、図８のフローチャートを参照して、移動電話機１が実行する、コンテンツデータを受信してからそれを多面表示装置１２に表示するまでの一連の処理の流れについて説明する。
【００５６】
ＲＦ部１０は基地局との間の無線通信を実行し、基地局を介して送られてくるサーバからのコンテンツデータを受信する（ステップＳ１０１）。ＲＦ部１０によって受信されたコンテンツデータはシステムコントローラ２１に送られる。システムコントローラ２１は、受信されたコンテンツデータをメモリ２２に格納した後、その受信されたコンテンツデータを解析する。
【００５７】
この解析処理では、システムコントローラ２１は、受信されたコンテンツデータに付されているコンテントＩＤフラグをチェックし（ステップＳ１０２）、当該コンテンツデータが多面表示用コンテンツデータであるか否かを判別する（ステップＳ１０３）。
【００５８】
もし受信されたコンテンツデータが多面表示用コンテンツデータ以外の他の通常のコンテンツデータであれば（ステップＳ１０３のＮＯ）、システムコントローラ２１は、本移動電話機１のメインディスプレイである正面表示部１３１を、当該コンテンツデータを表示させるべき表示部として選択する。この場合、システムコントローラ２１は当該コンテンツデータに含まれる画像または文字情報をＬＣＤコントローラ３１に出力して、その画像または文字情報を正面表示部１３１に表示させる（ステップＳ１０４）。
【００５９】
一方、もし受信されたコンテンツデータが多面表示用コンテンツデータであれば（ステップＳ１０３のＹＥＳ）、システムコントローラ２１は、多面表示制御部２１１を用いて、多面表示用コンテンツデータに含まれる各画像データの画像ＩＤフラグをチェックして、画像データ毎にその表示先とすべき表示部を決定する（ステップＳ１０５）。
【００６０】
この後、システムコントローラ２１は、多面表示制御部２１１を用いて、多面表示用コンテンツデータに含まれる各画像データをその表示先とすべき表示部に対応するＬＣＤコントローラに分配する処理を実行する（ステップＳ１０６）。これにより、正面画像データは正面表示部１３１に対応するＬＣＤコントローラ３１に送られ、その正面表示部１３１の表示画面上に表示される（ステップＳ１０７）。同様に、右側面画像データはＬＣＤコントローラ３２に送られて右側面表示部１３２の表示画面上に表示され（ステップＳ１０８）、上面画像データはＬＣＤコントローラ３３に送られて上面表示部１３３の表示画面上に表示され（ステップＳ１０９）、そして、底面画像データはＬＣＤコントローラ３６に送られて上面表示部１３３の表示画面上に表示される（ステップＳ１１０）。
【００６１】
次に、図９のフローチャートを参照して、図８のステップＳ１０６における画像データ分配処理内で、画像縮小処理部２１４によって実行される画像縮小処理の手順を説明する。
【００６２】
この画像縮小処理は、多面表示用コンテンツデータに含まれている画像データの表示サイズが、表示先とした決定された表示部の中で最も表示解像度が低い表示部の表示解像度よりも大きい場合に実行される。
【００６３】
まず、表示先とした決定された表示部の中で最も表示解像度が低い表示部の表示解像度と、多面表示用コンテンツデータに含まれている画像データの表示サイズとに基づいて、画像縮小処理に使用すべき縮小率が決定される（ステップＳ２０１）。例えば、正面表示部１３１、右側面表示部１３２、および上面表示部１３３の３つの表示部が、多面表示コンテンツデータの表示先として決定された場合を想定する。もし、右側面表示部１３２および上面表示部１３３の表示解像度が正面表示部１３１よりも小さく設計されているならば、縮小率は、右側面表示部１３２または上面表示部１３３の表示解像度と、多面表示用コンテンツデータに含まれている画像データの表示サイズとに基づいて、決定される。
【００６４】
次いで、多面表示用コンテンツデータに含まれている画像データそれぞれが、ステップＳ２０１で決定された同じ縮小率で縮小される（ステップＳ２０２）。このように、多面表示用コンテンツデータに含まれている画像データそれぞれを同じ縮小率で縮小することにより、表示されるオブジェクトの幅、奥行き、高さの比率が崩れることを防ぐことが出来る。このことは、表示部１３１〜１３６それぞれの表示解像度が異なっていても、複数の方向から見たオブジェクトそれぞれを同一サイズで多面表示可能であることを意味する。
【００６５】
次に、図１０および図１１を参照して、ドキュメントデータを含む多面表示用コンテンツデータを表示する処理について説明する。
【００６６】
図１０は、ドキュメントデータを含む多面表示用コンテンツデータのデータフォーマットの例を示している。オブジェクトの説明を記述したテキストデータから構成されるドキュメントデータは、そのオブジェクトの各画像データと同様に、一つのデータフィールドとして多面表示用コンテンツデータ内に含まれている。ドキュメントデータのデータフィールドには、当該データフィールドがドキュメントデータを含むものであることを示すドキュメントフラグが付されている。このドキュメントフラグにより、ドキュメントデータを含む多面表示用コンテンツデータであるかどうかを判別することが可能となる。
【００６７】
例えば、あるオブジェクトの正面画像データ、右側面画像データ、および上面画像データと、そのオブジェクトに関する説明を記述した文書情報を含むドキュメントデータとから構成される場合、多面表示用コンテンツデータは、図示のように、４つのデータフィールドを含む。
【００６８】
次に、図１１のフローチャートを参照して、移動電話機１が実行する、ドキュメントデータを含む多面表示用コンテンツデータを受信してからそれを多面表示装置１２に表示するまでの一連の処理の流れについて説明する。
【００６９】
ＲＦ部１０は基地局との間の無線通信を実行し、基地局を介して送られてくるサーバからのコンテンツデータを受信する（ステップＳ３０１）。ＲＦ部１０によって受信されたコンテンツデータはシステムコントローラ２１に送られる。システムコントローラ２１は、受信されたコンテンツデータをメモリ２２に格納した後、その受信されたコンテンツデータを解析する。
【００７０】
この解析処理では、システムコントローラ２１は、受信されたコンテンツデータに付されているコンテントＩＤフラグをチェックし（ステップＳ３０２）、当該コンテンツデータが多面表示用コンテンツデータであるか否かを判別する（ステップＳ３０３）。
【００７１】
もし受信されたコンテンツデータが多面表示用コンテンツデータ以外の他の通常のコンテンツデータであれば（ステップＳ３０３のＮＯ）、システムコントローラ２１は、本移動電話機１のメインディスプレイである正面表示部１３１を、当該コンテンツデータを表示させるべき表示部として選択する。この場合、システムコントローラ２１は当該コンテンツデータに含まれる画像または文字情報をＬＣＤコントローラ３１に出力して、その画像または文字情報を正面表示部１３１に表示させる（ステップＳ３０４）。
【００７２】
一方、もし受信されたコンテンツデータが多面表示用コンテンツデータであれば（ステップＳ３０３のＹＥＳ）、システムコントローラ２１は、多面表示制御部２１１を用いて、多面表示用コンテンツデータに含まれる各画像データの画像ＩＤフラグをチェックして、画像データ毎にその表示先とすべき表示部を決定する（ステップＳ３０５）。
【００７３】
この後、システムコントローラ２１は、多面表示制御部２１１を用いて、多面表示用コンテンツデータに含まれる各画像データをその表示先とすべき表示部に対応するＬＣＤコントローラに分配する処理を実行する（ステップＳ３０６）。例えば、あるオブジェクトの正面画像データ、右側面画像データ、および上面画像データと、そのオブジェクトに関するドキュメントデータとから構成される多面表示用コンテンツデータであれば、正面画像データ、右側面画像データ、および上面画像データはそれぞれＬＣＤコントローラ３１，３２，３３に分配され、これによって正面表示部１３１、右側面表示部１３２、および上面表示部１３３にらそれぞれ表示される（ステップＳ３０７〜ＳＳ３０９）。
【００７４】
この後、システムコントローラ２１は、ドキュメントフラグを含むデータフィールドが存在するかどうかによって、表示すべきドキュメントデータの有無を判断する（ステップＳ３１０）。表示すべきドキュメントデータが存在するならば、システムコントローラ２１は、そのドキュメントデータを、表示部１３１〜１３６の内、現在画像データの表示に使用されていない表示部の内の任意の一つを選択する。そして、システムコントローラ２１は、その選択した表示部に対応するＬＣＤコントローラにドキュメントデータを表示データとして出力して、選択した表示部にドキュメントデータを表示させる。
【００７５】
例えば、正面画像データ、右側面画像データ、および上面画像データを含む多面表示用コンテンツデータであれば、未使用の表示部は、左側面表示部１３４、背面表示部１３５、および底面表示部１３６の３つとなる。この場合、これら３つの表示部１３４〜１３６の内の一つが、ドキュメントデータを表示すべき表示部として選択される。なお、底面表示部１３６が未使用であれば、その底面表示部１３６を優先的に選択することが好ましい。
【００７６】
以上のように、本実施形態によれば、オブジェクトを少なくともその前面、右または左側面、および上面の３方向からそれぞれ見た第１乃至第３のデータを、装置本体の前面上、右または左の側面上、および上面上にそれぞれ設けられた３つの表示部にそれぞれ表示するという多面表示が実現される。これにより、同一のオブジェクトを複数の表示装置にそれぞれ表示角度を変えて同時に表示することができる。したがって、実際のオブジェクトを前面から見た形状、側面から見た形状、上面から見た形状、をゆがみ無く同時に表示することが可能となり、ユーザは、表示された多面表示画像から、実際のオブジェクトの幅、奥行き、高さの比率を正確に把握することができる。
【００７７】
なお、以上の説明では、無線ネットワークを介して外部のサーバ装置から送られてくる多面表示用コンテンツデータを表示する場合を例示したが、外部のサーバ装置との間の通信に使用すべきネットワークは、有線および無線のどちらのネットワークであってもよい。
【００７８】
また多面表示用コンテンツデータが予め記憶されているコンピュータ読み取り可能な記憶媒体から当該多面表示用コンテンツデータを読み出して表示するようにしても良い。記憶媒体としては、例えば、移動電話機、ＰＤＡのような携帯可能な情報処理装置に装着可能なメモリカードなどを用いることが出来る。
【００７９】
また更に、上記実施形態には種々の段階の発明が含まれており、開示される複数の構成要件における適宜な組み合わせにより種々の発明が抽出され得る。例えば、実施形態に示される全構成要件から幾つかの構成要件が削除されても、発明が解決しようとする課題の欄で述べた課題が解決でき、発明の効果の欄で述べられている効果が得られる場合には、この構成要件が削除された構成が発明として抽出され得る。
【００８０】
【発明の効果】
以上説明したように、本発明によれば、オブジェクトの形状をゆがみ無く表示することが可能となる。
【図面の簡単な説明】
【図１】本発明の一実施形態に係る情報処理装置本体をその正面側から見た外観を示す斜視図。
【図２】図１に示した情報処理装置本体をその背面側から見た外観を示す斜視図。
【図３】図１に示した情報処理装置本体をその底面側から見た外観を示す斜視図。
【図４】図１に示した情報処理装置本体に設けられた背面表示部にドキュメントデータが表示される様子を示す図。
【図５】図１に示した情報処理装置のシステム構成の一例を示すブロック図。
【図６】図１に示した情報処理装置がネットワークを介して受信するコンテンツデータのデータフォーマットの一例を示す図。
【図７】図１に示した情報処理装置に設けられている多面表示制御部の構成の一例を示すブロック図。
【図８】図１に示した情報処理装置によって実行されるコンテンツデータ表示処理の手順の例を示すフローチャート。
【図９】図１に示した情報処理装置によって実行される表示画像縮小処理の手順の例を示すフローチャート。
【図１０】図１に示した情報処理装置がネットワークを介して受信する、ドキュメントデータ付きコンテンツデータのデータフォーマットの一例を示す図。
【図１１】図１に示した情報処理装置によって実行される、ドキュメントデータ付きコンテンツデータの表示処理の手順の例を示すフローチャート。
【符号の説明】
１…移動電話機
１０…ＲＦ部
２０…ベースバンド部
２１…システムコントローラ
２２…メモリ
３１〜３６…ＬＣＤコントローラ
３０…入出力部
１２０…多面表示装置
１３１…正面表示部
１３２…右側面表示部
１３３…上面表示部
１３４…左側面表示部
１３５…背面表示部
１３６…底面表示部
２１１…多面表示制御部
２１２…画像ＩＤフラグ判別部
２１３…画像データ分配部
２１４…画像縮小処理部
【図１】
2004004281.tif 000003
【図２】
2004004281.tif 000004
【図３】
2004004281.tif 000005
【図４】
2004004281.tif 000006
【図５】
2004004281.tif 000007
【図６】
2004004281.tif 000008
【図７】
2004004281.tif 000009
【図８】
2004004281.tif 000010
【図９】
2004004281.tif 000011
【図１０】
2004004281.tif 000012
【図１１】
2004004281.tif 000013